(57)【要約】      （修正有）【課題】小型軽量で、顔面に装着したまま移動することができる美顔器を提供する。【解決手段】マイクロバブル混入水を生成するマイクロバブル水発生装置２を設け、装置２の水流入口に水を供給する手動ポンプ１５を備える。マイクロバブル水発生装置２を収容するとともに生成したマイクロバブル混入水を貯留する小容量の収容容器１４を設ける。収容容器１４の底部に流出路を形成し、流出路の途中に霧化装置２０を設ける。顔面を覆い顔面との間に空間部３６を有し、上部に機器収容室３１を備えたマスク３０を設ける。機器収容室３１に収容容器１４と流出路と霧化装置２０を収容するとともに機器収容室３１の底部に空間部３６内に連通する噴霧口２７を形成する。マスク３０を顔に装着する装着具３９を備え、マスクには少なくとも目と対向する位置に開口３８を設ける。【選択図】図２
0003187244.tif 000002
【実用新案登録請求の範囲】
【請求項１】
マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を有し、上部に機器収容室を備えたマスクを設け、前記機器収容室に前記収容容器と流出路と霧化装置を収容するとともに機器収容室の底部に前記流出路の出口となり前記空間部内に連通する噴霧口を形成し、前記マスクを顔に装着する装着具を備え、前記マスクには少なくとも目と対向する位置に開口を設けたことを特徴とする美顔器。
【請求項２】
収容容器の内容量は、５〜５０ｍｌである請求項１に記載の美顔器。
【請求項３】
顔面の周囲に当たるマスクの周縁部を軟質素材により形成した請求項１又は２に記載の美顔器。
【考案の詳細な説明】
【技術分野】
【０００１】
本考案は、小型軽量で装着したままでも移動できる美顔器に関する。
【背景技術】
【０００２】
従来、流体を気化又は霧化した噴出物質が顔面全体に広がってあたるとともに顔面にあたらずに周囲に飛散するのを防止できる美顔器として、内面側に顔面洗浄空間を形成するカップ本体と、顔面洗浄空間側に顔面全体を臨ませ得る開口部とを具備する顔面用カップを有するとともに噴出口をカップ本体の内面側に多数設けたものが知られている（特許文献１）。
また、ボウル部を有する洗浄水受けと、水タンクと、ボウル部内に設置される噴射ノズルと洗浄水を溜める洗面器と、マイクロバブル発生装置とを具備した洗顔器がある（特許文献２）。
【０００３】
しかし、これらは、いずれも装置が大型かつ構造も複雑で、洗顔作業は、これらの装置の設置場所で行わなければならないし、また、洗顔作業中は、それに専念しなけらばならず他の作業等を行うことはできない。
【先行技術文献】
【特許文献】
【０００４】
【特許文献１】特開２００３−６７２号公報
【特許文献２】特開２０１２−１９８２５号公報
【考案の概要】
【考案が解決しようとする課題】
【０００５】
そこで、本考案は、小型軽量で、顔面に装着したまま移動することができるようにした美顔器を提供することを目的とする。
【課題を解決するための手段】
【０００６】
上記の課題を解決するために、請求項１に係る考案は、マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を有し、上部に機器収容室を備えたマスクを設け、前記機器収容室に前記収容容器と流出路と霧化装置を収容するとともに機器収容室の底部に前記流出路の出口となり前記空間部内に連通する噴霧口を形成し、前記マスクを顔に装着する装着具を備え、前記マスクには少なくとも目と対向する位置に開口を設けたこと、を特徴としている。
請求項２に係る考案は、収容容器の内容量は、５〜５０ｍｌとしたものである。
請求項３に係る考案は、顔面の周囲に当たるマスクの周縁部を軟質素材により形成したものである。
【考案の効果】
【０００７】
請求項１に係る考案は、マスクの上部に設けた機器収容室にマイクロバブル水発生装置を収容する小容量の収容容器とマイクロバブル混入水の流出路と霧化装置とを収容するとともに、機器収容室の底部に空間部内に連通する噴霧口を形成し、前記マスクを顔に装着する装着具を備え、前記マスクには少なくとも目と対向する位置に開口を設けたので、美顔器全体が小型軽量で、美顔器を顔に装着したまま移動することができ、また他の作業を行いながら使用することができる。
また、収容容器内に溜まったマイクロバブル混入水は、自重により流出路を流下し、霧化装置で霧化されて下流の噴霧口からマスクの空間部に霧状（ミスト）となって噴霧され、顔面全体に広がることになる。
請求項２に係る考案は、収容容器の内容量を、５〜５０ｍｌとしたので、小容量で装置全体の重さも軽く美顔器を顔に装着しても重さを感じ難い。
請求項３に係る考案は、顔面の周囲に当たるマスクの周縁部を軟質素材により形成したので、当たった部分の肌あたりがよい。また、顔にフィットし易くなり、空間内からの霧の漏れを防止できる。
【図面の簡単な説明】
【０００８】
【図１】本考案の実施例による美顔器を装着した状態を示す正面図である。
【図２】本考案の実施例による美顔器を装着した状態を示す断面側面図である。
【図３】本考案の実施例による美顔器を装着した状態を示す平面図である。
【図４】要部断面正面図である。
【図５】マイクロバブル発生装置の断面側面図である。
【図６】手動ポンプの一部断面正面図である。
【図７】圧電素子の斜視図である。
【考案を実施するための形態】
【０００９】
以下、本考案の実施例を図面に基づいて具体的に説明する。本考案の実施例による美顔器１は、マイクロバブルを混入した水を生成するマイクロバブル水発生装置２、該マイクロバブル水発生装置２を収容する小容量の収容容器１４、マイクロバブル混入水を霧状（ミスト）にする霧化装置２０、及び顔面を覆うマスク３０を主な構成要素とする。
【００１０】
マイクロバブル水発生装置２は、空気をマイクロバブルの状態で水に混入させるもので、図５に示すようになっている。なお、水は、通常の水でも化粧水でもよい。ケーシング３内に大径の流入口４、小径の絞り流路５、及び拡開部６を上から下に向けて順次同軸に連通形成する。流入口４は継手７を介して注入器８に接続されている。
前記絞り流路５の下部に段状に大径となる環状の負圧室９を形成し、該負圧室９に小径の空気流入路１０を半径方向外方から連通させる。該空気流入路１０の外端部をケーシング３の外方に突出させ、その突出部１１に空気供給管１２を接続する。
前記拡開部６は、絞り流路５の下端から下方に向かって次第に大径となる円錐状に形成し、底面は絞り流路５と対面する広面積の衝突壁６ａとする。拡開部６の底部外周に複数の流出口１３を形成し、該流出口１３から拡開部６内で生成したマイクロバブル混入水を収容容器１４内に流出させる。
後述する手動ポンプによって圧送される水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成されることになる。
【００１１】
前記注入器８には、図６に示すような手動ポンプ１５を接続して水又は化粧水（以下、単に水という）を注入する。手動ポンプ１５は、円筒状のシリンダ（外筒）１６内にピストン（内筒）１７を摺動可能に嵌合したもので、注射器と同様の構造のものである。
【００１２】
上記のマイクロバブル水発生装置２は小容量の収容容器１４内に収容される（図４）。収容容器１４の内容量は５〜５０ｍｌの範囲が好ましい。本実施例では２５ｍｌである。このように、小容量であるので、全体の重さも軽く、装着したままでも重さを感じることがない。
なお、本実施例でのマイクロバブル水発生装置２本体の寸法は、φ６ｍｍ×２０ｍｍ程度である。
【００１３】
収容容器１４の底部の中心部にはマイクロバブル混入水の流出口１８を形成してあり、その流出路１９は下方に向かって延び、その流出路１９の途中に圧電素子かならる霧化装置２０を設けてあり、その下流側からマイクロバブル水が霧状（ミスト）になって流下することになる。
圧電素子（霧化装置）２０は、図７に示すように、円板状に形成され、中心部には水が通過可能な流通部２１が設けられており、この流通部２１をマイクロバブル水が霧化されて流下する。符号２２はリード線である。
霧化装置２０は上下から円板状の挟持板２３，２４により水密に挟持される。挟持板２３，２４の中心部が流通路１９となっている。符号２５，２６はＯリングである。そして、前記流出路１９の下端は霧状となったマイクロバブル水の噴霧口２７となっている。
【００１４】
これら、収容容器１４、流出路１９、霧化装置２０は円筒状のハウジング２８内に収容され、さらに、該ハウジング２８は、マスク３０の上部に設けた機器収容室３１内に収容してある。これにより、一連の装置がコンパクトに機器収容室３１内に収容されることになる。なお、機器収容室３１内には、スイッチ３２、電池ボックス３３、制御基板３４等が収容されている（図１）。
【００１５】
マスク３０は、顔面を覆うもので、顔面形状に略対応した形状の前面板３５と、装着した際に顔面との間に所定の空間部３６を形成するように前面板３５の周囲に設けた側面板３７とからなる。そして、上部側面板３７ａの上に機器収容室３１を設けてある。
また、マスク前面板３５には目、口に対応する位置に開口３８を形成してある。なお、目以外の口部の開口３８は任意であり、鼻部に開口を形成してもよい。
機器収容室３１の頂部、側面板３７の両側部にゴムバンドからなる装着具３９を備えてある。なお、装着具３９は、ゴムバンド以外の手段によってもよい。これにより、マスク３０（美顔器１）を顔に装着した状態で動くことができる。また、マスク３０には、少なくとも目と対向する位置に開口３８を形成してあるので、美顔器１を顔に装着したまま、テレビを観たり、家事をしたりすることができる。
【００１６】
マスク本体の顔に当たる周縁部４０は、軟質素材により形成されており、顔の当たりがソフトとなるようにしてある。また、顔面との密着性もよく、空間部３６に流下した霧が周縁部から漏れ出し難くなる。
【００１７】
上記の構成からなる美顔器１の使用方法を説明する。先ず、手動ポンプ１５のシリンダ１６内に所定量（１０ｍｌ）の水を収容して、その注出口１６ａをマイクロバブル水発生装置２の注入器８に装着し、手動ポンプ１５のピストン１７を押して、シリンダ１６内の水を注入器８を介してマイクロバブル水発生装置２の流入口４に勢いよく注入する。注入終了後、手動ポンプ１５を注入器８から取り外す。
手動ポンプ１５によって圧送（注入）された水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成され、流出口１３から収容容器１４内に流出し、該収容容器１４内に溜まる（図４）。
この状態でマスク３０を顔に装着し、スイッチ３２を入れると、霧化装置（圧電素子）２０（霧化量は５ｍｌ／ｍｉｎ）が作動しマイクロバブル混入水が霧化されて、下流の流出路１９を流下し、噴霧口２７からマスク３０の空間部３６内に噴霧される。上記では、噴霧時間は２分程度である。なお、上記した数値（水注入量、圧電素子の霧化量、噴霧時間）は、一例であって限定されるものではない。
【００１８】
これにより、ミストによる潤いの供給、マイクロバブルによる血行促進効果が期待される。また、マイクロバブルによる毛穴の汚れ除去効果、マイクロバブルのソフトな刺激と顔面がミストに包まれることによる安息効果が発揮されることになる。
【００１９】
このとき、マスク３０には、少なくとも目に対向する部位に開口３８が形成されているので、マスク３０（美顔器１）を装着したまま移動したり、テレビを観たり、家事を行うこともできる。また、密閉状態になく、開口部３８から霧（ミスト）が抜けていくことから、その分圧迫感が軽減される。鼻や口に対向する位置に開口３８を形成すれば、さらに圧迫感が軽減される。
【符号の説明】
【００２０】
１  美顔器
２  マイクロバブル水発生装置
３  ケーシング
４  流入口
５  絞り流路
６  拡開部
７  継手
８  注入器
９  負圧室
１０  空気流入路
１１  突出部
１２  空気供給管
１３  流出口
１４  収容容器
１５  手動ポンプ
１６  シリンダ
１７  ピストン
１８  流出口
１９  流出路
２０  霧化装置
２１  流通部
２２  リード線
２３，２４  挟持板
２５，２６  Ｏリング
２７  噴霧口
２８  ハウジング
３０  マスク
３１  機器収容室
３２  スイッチ
３３  電池ボックス
３４  制御基板
３５  前面板
３６  空間部
３７  側面板
３８  開口
３９  装着具（ゴムバンド）
４０  周縁部
【図１】
0003187244.tif 000003
【図２】
0003187244.tif 000004
【図３】
0003187244.tif 000005
【図４】
0003187244.tif 000006
【図５】
0003187244.tif 000007
【図６】
0003187244.tif 000008
【図７】
0003187244.tif 000009